(57)【要約】      （修正有）【課題】工具や接着剤、専門的な組立知識を必要とせず、簡単に組立てられる家具用紙パネルの組立方法を提供する。【解決手段】パネル部分を段ボール又は紙パネル、支柱部分を紙管で構成、各部材の連結部分も各部材に加工して設けた切り欠き・溝などにより連結・固定する。以上の構成よりなる家具用紙パネルの組立方法である。【選択図】図１
0003102634.tif 000002
【実用新案登録請求の範囲】
【請求項１】
段ボール又は紙パネルと紙管を組み合わせたオフィスや個人宅などの室内で間仕切り等に使用できる家具用紙パネルで、パネルを構成する各部材の組立に、金属またはプラスチック製の連結具や接着剤などを使わず、パネルを構成する各部材を加工し設けた連結用の切り欠きおよび溝を用いて連結・固定する家具用紙パネルの組立方法。
【考案の詳細な説明】
【考案の詳細な説明】
【考案に属する技術分野】
【０００１】  この考案は、オフィスや個人宅の室内で間仕切りなどとして使用する家具用紙パネルにおいて、パネル部分を段ボール又は紙パネル、支柱部分を紙管で構成した製品の組立方法に関するものである。
【背景技術】
【０００２】  従来、家具用紙パネルはほとんどが金属又はプラスチックおよび接着剤などを各部材の接合部分に使用していた。
【考案が解決しようとする課題】
【０００３】  これは、次のような欠点があった。上記のように接合部分に金属又はプラスチックおよび接着剤などを使用していると、組立のための工具や、専門的な技術および知識が必要とされた。
【課題を解決するための手段】
【０００４】  パネル部分を段ボール又は紙パネル、支柱部分を紙管で構成、各部材の連結部分も紙パネルおよび紙管に加工して設けた切り欠き・溝などにより連結・固定する。本考案は、以上の構成よりなる家具用紙パネルの組立方法である。
【考案を実施するための最良の形態】
【００１０】  以下、本考案の実施の構成について説明する。パネル（１）部分は段ボールまたは紙パネルである。【００１１】  そのパネル（１）の上下を保護および補強するフレーム（５）は、円周の一部分に溝を設けた紙管である。その溝にはパネル（１）をはめ込むことができる。このとき、パネル（１）の厚みとフレーム（５）の溝の幅を同一又は、パネル（１）の厚みよりもフレーム（５）の溝を若干細くすることで、圧着することができる。【００１２】  パネル（１）とフレーム（５）を組み合わせたものを支え、自立できるようにするものが支柱（２）である。これはフレーム（５）よりも直径の大きい紙管で、パネル（１）をはめ込む溝を設けている。この溝にパネル（１）とフレーム（２）を組み合わせたものを上部からスライドさせるように差し込む。【００１３】  このとき支柱（２）に設けられた溝の終点部分に、パネル（１）に設けられた切り欠きが噛み合うことで、パｓネル（１）の下端が固定される。【００１４】  支柱（２）の上部にある空洞部分を塞ぐのがトップキャップ（３）である。これは支柱（２）の外径と同じ直径の内径を持つ紙管を短く切断した物の片側の空き部分を、紙製の円盤でふさいだ物である。【００１５】  このトップキャップ（３）を支柱（２）にはめ込むときに、同時にパネル（１）に設けられた切り欠きにも圧入され、パネル（１）の上端を固定する役割を果たす。【００１６】  この家具用紙パネルの自立性高める役割を果たすのが、補助支柱（７）である。これは支柱（２）と同じ直径の紙管で、サイドパネル（６）をはめ込む溝を設けている。サイドパネル（６）はパネル（１）と同様、段ボールまたは紙パネルである。【００１７】  補助支柱（７）には、上下両端をパネル（１）とフレーム（５）の接合方法と同様の方法でショートフレーム（８）を圧着したサイドパネル（６）が上部からスライドさせるように差し込まれる。【００１８】  このとき補助支柱（７）に設けられた溝の終点部分に、サイドパネル（６）に設けられた切り欠きが噛み合うことで、サイドパネル（６）の下端が固定される。【００１９】  補助支柱（７）の上部にある空洞部分もトップキャップ（３）で塞ぐ。【００２０】  このトップキャップ（３）を補助支柱（７）にはめ込むときに、同時にサイドパネル（６）に設けられた切り欠きにも圧入され、サイドパネル（６）の上端を固定する役割を果たす。【００２１】  補助支柱（７）とサイドパネル（６）組み合せたものと支柱（２）の接合部分は、サイドパネル（６）を下部からスライドさせるように支柱（２）に設けられた溝に差し込み、支柱（２）に設けられた溝の終点とサイドパネル（６）に設けられた切り込みが噛み合うことで、サイドパネル（６）の上端が固定される。【００２２】  支柱（２）の下部にある空洞部分を塞ぐのがアンダーキャップ（４）である。これは支柱（２）の外径と同じ直径の内径を持つ紙管を短く切断した物の片側の空き部分を、紙製の円盤でふさいだ物で、トップキャップ（３）より長めのものである。【００２３】  このアンダーキャップ（４）を支柱（２）にはめ込むときに、同時にパネル（１）とサイドパネル（６）に設けられた切り欠きにも圧入され、パネル（１）とサイド��ネル（６）の下端を固定する役割を果たす。【００２４】  同様に補助支柱（７）の下部にある空洞部分もアンダーキャップ（４）により塞がれる。このアンダーキャップ（４）を補助支柱（７）にはめ込むときに、同時にサイドパネル（６）に設けられた切り欠きにも圧入され、サイドパネル（６）の下端を固定する役割を果たす。【００２５】  本考案は、以上のように構成された家具用紙パネルの組立方法で、組立に際しては工具や接着剤、専門的な組立技術などを必要とせず、簡単に家具用紙パネルを組立てることができる。
【考案の効果】
【００２６】  オフィスや個人宅で従来間仕切りとして使用されていた、金属やプラスチック製のパーテーションの代わり本考案により組立てた家具用紙パネルを使用することで、組立も容易で室内の配置換えなどに際する移動も従来に比較して容易にできるようになる。
【図面の簡単な説明】
【００２７】
【図１】本考案の分解斜視図である
【図２】本考案の斜視図である
【符合の説明】
１  パネル
２  支柱
３  トップキャップ
４  アンダーキャップ
５  フレーム
６  サイドパネル
７  補助支柱
８  ショートフレーム
【図１】
0003102634.tif 000003
【図２】
0003102634.tif 000004
【手続補正書】
【提出日】平成15年11月14日(2003.11.14)
【手続補正１】
【補正対象書類名】実用新案登録請求の範囲
【補正対象項目名】〔請求項１〕
【補正方法】変更
【補正の内容】
【請求項１】
段ボール又は紙パネルと紙管を組み合わせたオフィスや個人宅などの室内で間仕切り等に使用できる家具用紙パネルで、パネルを構成する各部材の組立に、金属またはプラスチック製の連結具や接着剤などを使わず、パネルを構成する各部材を加工し設けた連結用の切り欠きおよび溝を用いて連結・固定する家具用紙パネル。
【手続補正２】
【補正対象書類名】明細書
【補正対象項目名】明細書の全文
【補正方法】変更
【補正の内容】
【考案の詳細な説明】
【考案の詳細な説明】
【０００１】
【考案に属する技術分野】
この考案は、オフィスや個人宅の室内で間仕切りなどとして使用する家具用紙パネルにおいて、パネル部分を段ボール又は紙パネル、支柱部分を紙管で構成した製品に関するものである。
【０００２】
【背景技術】  従来、家具用紙パネルはほとんどが金属又はプラスチックおよび接着剤などを各部材の接合部分に使用していた。【０００３】
【考案が解決しようとする課題】
これは、次のような欠点があった。上記のように接合部分に金属又はプラスチックおよび接着剤などを使用していると、組立のための工具や、専門的な技術および知識が必要とされた。
【０００４】
【課題を解決するための手段】
パネル部分を段ボール又は紙パネル、支柱部分を紙管で構成、各部材の連結部分も紙パネルおよび紙管に加工して設けた切り欠き・溝などにより連結・固定する。本考案は、以上の構成よりなる家具用紙パネルである。
【００１０】
【考案を実施するための最良の形態】  以下、本考案の実施の構成について説明する。パネル（１）部分は段ボールまたは紙パネルである。【００１１】  そのパネル（１）の上下を保護および補強するフレーム（５）は、円周の一部分に溝を設けた紙管である。その溝にはパネル（１）をはめ込むことができる。このとき、パネル（１）の厚みとフレーム（５）の溝の幅を同一又は、パネル（１）の厚みよりもフレーム（５）の溝を若干細くすることで、圧着することができる。【００１２】  パネル（１）とフレーム（５）を組み合わせたものを支え、自立できるようにするものが支柱（２）である。これはフレーム（５）よりも直径の大きい紙管で、パネル（１）をはめ込む溝を設けている。この溝にパネル（１）とフレーム（２）を組み合わせたものを上部からスライドさせるように差し込む。【００１３】  このとき支柱（２）に設けられた溝の終点部分に、パネル（１）に設けられた切り欠きが噛み合うことで、パネル（１）の下端が固定される。【００１４】  支柱（２）の上部にある空洞部分を塞ぐのがトップキャップ（３）である。これは支柱（２）の外径と同じ直径の内径を持つ紙管を短く切断した物の片側の空き部分を、紙製の円盤でふさいだ物である。【００１５】  このトップキャップ（３）を支柱（２）にはめ込むときに、同時にパネル（１）に設けられた切り欠きにも圧入され、パネル（１）の上端を固定する役割を果たす。【００１６】  この家具用紙パネルの自立性を高める役割を果たすのが、補助支柱（７）である。これは支柱（２）と同じ直径の紙管で、サイドパネル（６）をはめ込む溝を設けている。サイドパネル（６）はパネル（１）と同様、段ボールまたは紙パネルである。【００１７】  補助支柱（７）には、上下両端をパネル（１）とフレーム（５）の接合方法と同様の方法でショートフレーム（８）を圧着したサイドパネル（６）が上部からスライドさせるように差し込まれる。【００１８】  このとき補助支柱（７）に設けられた溝の終点部分に、サイドパネル（６）に設けられた切り欠きが噛み合うことで、サイドパネル（６）の下端が固定される。【００１９】  補助支柱（７）の上部にある空洞部分もトップキャップ（３）で塞ぐ。【００２０】  このトップキャップ（３）を補助支柱（７）にはめ込むときに、同時にサイドパネル（６）に設けられた切り欠きにも圧入され、サイドパネル（６）の上端を固定する役割を果たす。【００２１】  補助支柱（７）とサイドパネル（６）組み合せたものと支柱（２）の接合部分は、サイドパネル（６）を下部からスライドさせるように支柱（２）に設けられた溝に差し込み、支柱（２）に設けられた溝の終点とサイドパネル（６）に設けられた切り込みが噛み合うことで、サイドパネル（６）の上端が固定される。【００２２】  支柱（２）の下部にある空洞部分を塞ぐのがアンダーキャップ（４）である。これは支柱（２）の外径と同じ直径の内径を持つ紙管を短く切断した物の片側の空き部分を、紙製の円盤でふさいだ物で、トップキャップ（３）より長めのものである。【００２３】  このアンダーキャップ（４）を支柱（２）にはめ込むときに、同時にパネル（１）とサイドパネル（６）に設けられた切り欠きにも圧入され��パネル（１）とサイドパネル（６）の下端を固定する役割を果たす。【００２４】  同様に補助支柱（７）の下部にある空洞部分もアンダーキャップ（４）により塞がれる。このアンダーキャップ（４）を補助支柱（７）にはめ込むときに、同時にサイドパネル（６）に設けられた切り欠きにも圧入され、サイドパネル（６）の下端を固定する役割を果たす。【００２５】  本考案は、以上のように構成された家具用紙パネルで、組立に際しては工具や接着剤、専門的な組立技術などを必要とせず簡単に組立てることができる家具用紙パネルである。【００２６】
【考案の効果】
オフィスや個人宅で従来間仕切りとして使用されていた、金属やプラスチック製のパーテーションの代わり本考案により組立てた家具用紙パネルを使用することで、組立も容易で室内の配置換えなどに際する移動も従来に比較して容易にできるようになる。
【００２７】
【図面の簡単な説明】
【図１】本考案の分解斜視図である
【図２】本考案の斜視図である
【符合の説明】
１  パネル
２  支柱
３  トップキャップ
４  アンダーキャップ
５  フレーム
６  サイドパネル
７  補助支柱
８  ショートフレーム
【手続補正書】
【提出日】平成16年2月18日(2004.2.18)
【手続補正２】
【補正対象書類名】手続補正書
【補正対象項目名】手続補正３
【補正方法】削除
【補正の内容】